【事件の表示】
　平成　６年特許願第３２３０１６号「ペン入力装置」拒絶査定に対する審判事件［平成　８年　７月１２日出願公開、特開平　８−１７９８７０］について、次のとおり審決する。
【結　論】
　本件審判の請求は、成り立たない。
【理　由】
【１】本願発明・手続の経緯
　本願は、平成６年１２月２６日に出願されたものであって、その発明を特定するために必要な事項は、平成９年３月１３日付け及び平成１０年３月２７日付け手続補正書により補正された明細書及び図面の記載からみて、その特許請求の範囲の請求項１乃至２に記載された「ペン入力装置」にあるものと認められるところ、当該請求項１に記載された発明（以下、「本願発明」という。）は、次のとおりのものである。
「【請求項１】位置情報を常時出力する入力盤と、この入力盤上に当接し若しくは近接して所定の位置情報を入力する電子ペンとを備えたペン入力装置において、
　前記電子ペンに、テンキー配列の数値入力スイッチと、この数値入力スイッチで入力された数値情報に基づいて搬送信号をこれに対応する所定の出力信号に変調して送信する変調器とを装備し、
　前記電子ペンの先端部に、入力された前記位置情報及び数値情報を確定させる確定スイッチを装備したことを特徴とするペン入力装置。」
【２】引用刊行物
　当審において、平成１２年８月３日付で通知した拒絶理由の概要及び引用した刊行物は、以下のとおりである。
　(1)引用例１．特開平3-286222号公報
　(2)引用例２．実願昭61-100697号（実開昭63-9634号）のマイクロフイルム
「本願の請求項１及び請求項２に係る発明は、上記引用例１及び引用例２に記載された発明及び周知の技術的事項に基づいて当業者が容易に発明をすることができたものと認められるので、特許法第２９条第２項の規定により特許を受けることができない。」
（上記引用刊行物に記載された発明）
(1)前記引用例１（特開平3-286222号公報）にはコンピュータシステムのディスプレイ装置またはコンピュータ端末に用いられるポインティングデバイスが開示されており、その実施例及びこれに係わる図面の第１図乃至第２図を参酌すると、以下の記載が認められる。
「前記指示手段が計算機からの情報が表示されている画面上の位置を指示するとき、該画面上に位置に対応する座標位置は前記座標位置検出手段によって検出されることにより、画面上の指示位置と該画面に表示されている情報との対応関係が明確になるから、画面上の位置を正確にかつ直接に指示することができる。
　前記送出部が前記座標位置情報および前記状態情報を前記計算機に送出することにより、前記計算機は前記状態情報が示す操作指示に基づき前記座標位置情報に対する操作を行うから、前記座標位置情報に前記状態情報を組み合わせることによって複数の操作を行うことができる。」（第３頁左上欄第２〜14行）
「第１図は本発明のポインティングデバイスのー実施例を示す外観図、第２図は第１図のポインティングデバイスの指示手段を示す平面図である。
　ポインティングデバイス１０は、第１図に示すように、計算機からの情報が表示されている画面１２上の位置を指示しかつ前記計算機に操作指示を与える指示手段（以下、「ポインティングペン」という。）１４と、ポインティングペン１４が指示する画面１２上の位置に対応する座標位置を検出し、該座標位置を示す座標位置情報を出力する座標位置検出手段（以下、「圧力センサーパネル」という。）１６とを構える。図示の例によれば、画面１２は液晶フラットディスプレイ装置１８の画面であり、液晶フラットディスプレイ装置１８と前記計算機とは該計算機から液晶フラットディスプレイ装置へ情報を伝達するためのアドレス/データ線２０によって接続されている。圧力センサーパネル１６と前記計算機とは圧力センサーパネル１６から前記計算機へ前記座標位置情報を伝達するためのアドレス線２２によって接続されている。
　ポインティングペン１４は、第２図に示すように、ペン形状の本体２４を有する。本体２４の先端には、画面１２上の位置を指示する画面指示部２６が設けられている。画面指示部２６はー定の押し付け圧力で動作するスイッチからなる。本体２４には、２つのスイッチ２８、３０が設けられている。スイッチ２８およびスイッチ３０は互い共働して前記計算機の操作指示を示す複数の状態情報を生成する。スイッチ２８は人指し指で押され、スイッチ３０は親指で押される。スイッチ３０の動作方向は本体２４の軸方向であるから、本体２４とスイッチ３０との間に出来る隙間を覆うクッション材３２が本体２４に設けられている。各スイッチ２８、３０によって生成される状態情報はデークは３４を介して前記計算機に伝達される。データ線３４はアドレス線２２と共働して送出部を構成する。」（第３頁右上欄第５行〜同頁右下欄第２行）
「ポインティングペン１４で画面１２の上の位置を指示するとき、画面指示部２６を画面１２に表示されている情報の表示位置に対応する圧力センサ−パネル１６の位置に押し付ける。圧力センサーパネル１６は画面指示部２６で押圧された部位の座標位置を検出することにより、前記情報の表示位置と前記座標位置とは対応するから、画面指示部２６を圧力センサーパネル１６に押し付けることによって画面１２に表示されている情報を直接に指示することができる。
　画面指示部２６の用途はメニューの選択や、描画の開始を指示する等である。例えば、メニューの中の一つを選ぶ場合、画面指示部２６で目的の項目欄内の任意の位置を指示し、画面指示部２６を圧力センサーパネル１６に更に強く押し付けることによってメニューの選択が実現される。その結果、単に画面１２上の位置を指示しているというだけでなく、種極的に“選択した”という意志を計算機に伝えることができる。」（第３頁右下欄末行〜第４頁左上欄第18行）
「画面指示部２６の状態および２つのスイッチ２８、３０の状態は各々１ビットの情報として表現され、データ線３４を介して３ビットの情報として計算機に入力されている。
　以上の説明から明らかなように、ポインティングデバイス１０によれば、図形の選択などを座標位置情報の検出により直接的に指示出来ることに加えて、各スイッチ２８、３０が互いに共働して生成される状態情報を有効に活用することにより、メニュ−の選択、図形の移動などがより自然に実現される。
　本実施例では座標位置の検出に圧力センサーパネル２を用いたが、磁気等を利用した座標位置検出方法を利用することもできる。また、スイッチの個数、スイッチ状態の検出方法も種々の方式が可能である。」（第４頁左下欄第３〜18行）
(2)前記引用例２（実願昭61-100697号（実開昭63-9634号）のマイクロフイルム）にはペン型入力装置が開示されており、その実施例及びこれに係わる図面の第１図乃至第３図を参酌すると、以下の記載が認められる。
「この考案は、必要な情報データを筆記作業と併行または同時に電子計算機等の情報データ処理装置に入力させる入力装置に関するものである。」（公開明細書第１頁第10〜12行）
「この考案は、上述した筆記作業と情報データ入力作業という別々の作業を一体化させ、筆記作業中に同時に、あるいは併行してデータ入力及び計算処理を可能にしたもので作業の能率を向上させると共に作業者の肉体的、精神的負担を軽減し、またデータの入力ミスも防止せんとすることを目的とする。」（公開明細書第２頁第15行〜第３頁第１行）
「第１図ないし第２図に示すように、ポ−ルペンや鉛筆等の所要の筆記具１の軸体２頭部に着脱自在に挿入できるようにした軸管３を設け、この外周面上に、キー４を所要複数個配設したキーボード５を取り付ける。これらキー４は、外部情報データ処理装置（図示せず）に有線あるいは無線接続されている。尚、上記キーボード５は軸管３を介せず、直接筆記具１の軸体２に取り付けられていてもよい。
　第３図は、別の実施例を示し、軸管３の頭部に固定端子６と可動端子７を内装する。キー４それぞれに一対の入力端子８を設け、一方を固定端子６に、他方を可動端子７に接続し、これら両端子６、７を外部情報データ処理装置に接続する。筆記具１はその先端部を押すと軸心方向に遊動し可動端子７と固定端子６は互いに押着されると、キーインされたデータが外部情報データ処理装置に入力されるように構成されている。」（公開明細書第３頁第３行〜第４頁第１行）
「これらキー４には予め決められた数値もしくは文字記号その他が設定されており、キーインすると同時にそれに連設されている電子計算機等のデ−タ処理装置にデータが送られ採点の集計処理がなされる。
　別の実施例によれば、キー入力した後、更に筆記具１の先端部を押せば可動端子７と固定端子６が互いに押着し入力が確定する。デ−夕処理装置は予め決められたソフト上のデ−夕処理を行うように設定されている。」（公開明細書第４頁第９〜18行）
【３】対比・判断
（対比）
　本願発明と前記引用例１に記載された発明とを対比すると、引用例１におけるポインティングペン(14)と圧力センサーパネル(16)は協働して所定の位置情報を入力するものであるから、本願発明における「ペン入力装置」といえ、また引用例１に記載された発明における「圧力センサーパネル(16)」「ポインティングペン(14)」及び「スイッチからなる画面指示部(26)」は、本願発明における「入力盤」「電子ペン」及び「確定スイッチ」にそれぞれ相当するものと認められる。さらに、引用例１における「２つのスイッチ(28)(30)」は「互いに共働して計算機（コンピュータ）の操作指示を示す複数の状態情報を生成する」ものであるから、本願発明における「数値入力スイッチ」と対比され、両者は計算機（コンピュータ）への所定の出力信号を生成する「入力スイッチ」としての機能において一致するものと認められる。
　したがって、両者は、以下の一致点及び相違点を有するものと認められる。
（一致点）
「位置情報を常時出力する入力盤と、この入力盤上に当接し若しくは近接して所定の位置情報を入力する電子ペンとを備えたペン入力装置において、
　前記電子ペンに、入力スイッチと、この入力スイッチで入力された情報に基づいてこれに対応する所定の出力信号に送信するものとを装備し、
　前記電子ペンの先端部に、入力された前記位置情報を確定させる確定スイッチを装備したペン入力装置。」
（相違点）
(i)電子ペンに装備するものが、本願発明にあっては、テンキー配列の数値入力スイッチと、この数値入力スイッチで入力された数値情報に基づいて搬送信号をこれに対応する所定の出力信号に変調して送信する変調器であるのに対し、引用例１に記載された発明にあっては、互いに共働して計算機（コンピュータ）の操作指示を示す複数の状態情報を生成する２つのスイッチ(28)(30)と、これで入力された情報に基づいて所定の出力信号を送信するもの（データ線34など)である点。
(ii)確定スイッチが、本願発明にあっては、位置情報及び数値情報を確定させるものであるのに対し、引用例１に記載された発明にあっては、位置情報を確定させるものである点。
（検討）
　相違点について検討すると、この相違点(i)(ii)は何れも入力スイッチにおける構成として「テンキー配列の数値入力スイッチ」を採用することに係わるものであるから、以下併せて検討する。
　引用例１における２つのスイッチ(28)(30)は、前記したように「計算機（コンピュータ）の操作指示を示す複数の状態情報を生成」するものであって、その信号が本願発明におけるような「数値」情報ではなく「操作指示」情報であるが、何れも入力信号を生成するものであり、また本願発明における「テンキー配列の数値入力スイッチ」による「数値」情報であることの技術的意義は、「従来電子ペンとは別個にテンキーが設けられていた不都合を改善し、『数値』情報の入力も容易且つ迅速に行え、電子ペンを他の入力機器に持ちかえる手間を省く」ことにあり、「電子計算機等で図面等を作成する際に、図面の拡大率を数値で正確に指定したり、描画する線の長さを正確に数値指定する」ことができるものであることは、本願明細書に記載された「発明の目的」など以下の記載事項から認めることができる。
「従来より、電子計算機のペン入力装置は、電子ペンで入力盤上をなぞることで、座標データや軌跡データのみの入力を行っていた。そして、必要な数値情報の入力は、別個に設けられたキーボード（以下「テンキー」という）によって入力していた。」（段落番号【0002】）、「上記従来例にあっては、前述した如く電子ペンとは別個にテンキーが設けられているので、数値情報を入力するのが煩雑であった。特に、電子計算機等で図面等を作成する場合等に、図面の拡大率を数値で正確に指定する必要等があり、また、描画する線の長さを正確に数値指定する場合などに、別個に設けられているテンキーを操作しなければならず、不都合を生じていた。」（段落番号【0003】）、「本発明は、かかる従来のペン入力装置の有する不都合を改善し、特に座標データや軌跡データの入力のみならず、数値情報の入力も容易且つ迅速に行えるペン入力装置を提供することを、その目的とする。」（段落番号【0005】）、「以上説明したように本発明では、電子ペンにテンキー配列の数値入力スイッチ備えた。このため、電子ペンで位置情報を入力しながら同時に数値情報を入力することが可能となり、各種データの入力が非常に円滑に行えるという従来に無い優れた効果を生じる。これは特に、電子計算機等で図面等を作成する際に、図面の拡大率を数値で正確に指定したり、描画する線の長さを正確に数値指定する場合などに、電子ペンを他の入力機器に持ちかえる手間を省くことができる。」（段落番号【0021】）
　しかしながら、上記引用例２には、ペン型入力装置において、筆記具(1)の軸体(2)にキー(4)を所要複数個配設したキーボード(5)と、このキー(4)で入力された数値情報の外部情報データ処理装置に有線あるいは無線接続されて送信する手段とを装備するものが開示されており、またこの筆記具(1)は、キーインされたデータが外部情報処理装置に入力されるもので、「キー入力した後、更に筆記具１の先端部を押せば可動端子７と固定端子６が互いに押着し入力が確定する」ことが記載され、数値の入力にあってはその確定を行うことは自明の事項である。そして、このキー(4)は数値入力として用いられるものであって、該キー(4)の具体的配置は該引用例２に明示がなされていないものの、入力装置における通常の数値入力キーは「テンキー配列」とされるものであることは技術常識（必要であれば、原審において引用された特開平6-131115号公報、特開平6-19619号公報参照）であることから、このキー(4)の具体的配置がテンキー配列の数値入力スイッチであるとすることは当業者に自明の技術的事項である。また、この引用例２における目的・作用効果においても、「筆記作業と情報データ入力作業という別々の作業を一体化させ、筆記作業中に同時に、あるいは併行してデータ入力及び計算処理を可能にしたもので作業の能率を向上させる」ものであって、本願発明における前記技術的意義「従来電子ペンとは別個にテンキーが設けられていた不都合を改善し、『数値』情報の入力も容易且つ迅速に行え、電子ペンを他の入力機器に持ちかえる手間を省く」ことと同様目的乃至軌を一にするものと認められる。さらに、キー入力された種々のキー入力信号は計算機（コンピュータ）等の情報処理装置に送信する必要があることは自明の技術的事項であり、この際の送信は入力信号をそのまま送信するか或いは種々変調して送信するかの何れかであるから、その何れを採用するかは当業者が適宜に定めうる設計上の事項であって、例えば特開平1-190032号公報には、入力されたキー情報に基づいて搬送信号をこれに対応する所定の出力信号に変調して送信する電波送信部(13)（変調器）が開示されているように、「所定の出力信号に変調して送信する変調器」は従来より周知の技術的事項である。
　したがって、本願発明のように構成することは上記引用例１乃至２に記載された発明乃至周知の技術的事項に基づいて、当業者が容易になし得ることと認められる。また、本願発明における作用効果も、刊行物１乃至２に記載の発明及び及び周知の技術的事項から当業者が容易に予測し得る程度のものであって格別のものとは認められない。
【４】まとめ
　以上のとおりであるから、本願の特許請求の範囲の請求項１に記載された発明は、引用例１乃至２に記載された発明乃至周知の技術的事項に基づいて、当業者が容易に発明をすることができたものと認められるので、特許法第２９条第２項の規定により特許を受けることができない。
　したがって、本願は、特許請求の範囲の請求項２について、論及するまでもなく、拒絶すべきものである。
　よって、結論のとおり審決する。